(57)【特許請求の範囲】
【請求項１】
複数の移動局に対して、ページングメッセージ及び同報メッセージを用いて同報情報を通知する同報情報通知方法であって、
ネットワークノードが、所定タイミングで、前記ページングメッセージ及び同報メッセージ受信用パラメータを送信する工程と、
前記複数の移動局の各々が、受信した前記ページングメッセージによって指定されているパラメータを用いて、前記同報メッセージ受信用パラメータを取得する工程と、
前記複数の移動局の各々が、取得した前記同報メッセージ受信用パラメータを用いて、受信可能な前記同報メッセージを取得する工程と、
前記複数の移動局の各々が、前記同報メッセージによって通知されたセキュリティ情報を取得する工程とを有することを特徴とする同報情報通知方法。
【請求項２】
前記複数の移動局の各々が、前記セキュリティ情報を用いて、前記同報情報に対する検証を行う工程と、
前記複数の移動局の各々が、前記検証に成功した場合にのみ、前記同報情報に対応する処理を行う工程とを有することを特徴とする請求項１に記載の同報情報通知方法。
【請求項３】
前記同報情報は、前記ページングメッセージによって通知されることを特徴とする請求項１に記載の同報情報通知方法。
【請求項４】
前記同報情報は、前記同報メッセージによって通知されることを特徴とする請求項１に記載の同報情報通知方法。
【請求項５】
前記ネットワークノードが、前記複数の移動局に対して同報情報を通知するように指示された場合、前記ページングメッセージの送信タイミングに関係なく、前記同報メッセージの繰り返し送信を開始する工程とを有することを特徴とする請求項１に記載の同報情報通知方法。
【請求項６】
移動局に対して、ページングメッセージ及び同報メッセージを用いて同報情報を通知するように構成されているネットワークノードであって、
所定タイミングで、前記ページングメッセージ及び同報メッセージ受信用パラメータを送信するように構成されている送信部を具備し、
前記送信部は、前記ページングメッセージによって、前記同報情報を通知し、前記同報メッセージによって、該同報情報に対する検証に用いられるセキュリティ情報を通知するように構成されていることを特徴とするネットワークノード。
【請求項７】
移動局に対して、ページングメッセージ及び同報メッセージを用いて同報情報を通知するように構成されているネットワークノードであって、
所定タイミングで、前記ページングメッセージ及び同報メッセージ受信用パラメータを送信するように構成されている送信部を具備し、
前記送信部は、前記同報メッセージによって、前記同報情報、及び、該同報情報に対する検証に用いられるセキュリティ情報を通知するように構成されていることを特徴とするネットワークノード。
【請求項８】
前記送信部は、前記移動局に対して同報情報を通知するように指示された場合、前記ページングメッセージの送信タイミングに関係なく、前記同報メッセージの繰り返し送信を開始するように構成されていることを特徴とする請求項６又は７に記載のネットワークノード。
【請求項９】
同報情報を取得するように構成されている移動局であって、
受信したページングメッセージによって指定されているパラメータを用いて、同報メッセージ受信用パラメータを取得するように構成されている同報メッセージ受信用パラメータ取得部と、
取得した前記同報メッセージ受信用パラメータを用いて、受信可能な同報メッセージを取得するように構成されている同報メッセージ取得部と、
前記同報メッセージによって通知されたセキュリティ情報を取得するように構成されているセキュリティ情報取得部とを具備することを特徴とする移動局。
【請求項１０】
前記セキュリティ情報を用いて、前記同報情報に対する検証を行うように構成されている検証部と、
前記検証に成功した場合にのみ、前記同報情報に対応する処理を行うように構成されている処理部とを具備することを特徴とする請求項９に記載の移動局。
【請求項１１】
前記ページングメッセージによって通知されている前記同報情報を取得するように構成されている同報情報取得部を具備することを特徴とする請求項９に記載の移動局。
【請求項１２】
前記同報メッセージによって通知されている前記同報情報を取得するように構成されている同報情報取得部を具備することを特徴とする請求項９に記載の移動局。
【発明の詳細な説明】
【技術分野】
【０００１】
本発明は、移動局に対してページングメッセージ及び同報メッセージを用いて同報情報を通知する同報情報通知方法及びネットワークノードに関する。
【背景技術】
【０００２】
３ＧＰＰでは、地震情報や津波情報等の緊急情報（同報情報）を配信するための「ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）」についての検討が進められている。
【０００３】
ここで、図７を参照して、「ＥＴＷＳ」において、移動局ＵＥに対して緊急情報（Ｐｒｉｍａｒｙ  Ｎｏｔｉｆｉｃａｔｉｏｎ）を通知する動作について説明する。
【０００４】
図７に示すように、ステップＳ３００１において、ＣＢＣ（Ｃｅｌｌ  Ｂｒｏａｄｃａｓｔ  Ｃｅｎｔｅｒ）は、ＣＢＥ（Ｃｅｌｌ  Ｂｒｏａｄｃａｓｔ  Ｅｎｔｉｔｙ）からの入力を検出すると、ステップＳ３００２において、Ｗｒｉｔｅ  Ｒｅｐｌａｃｅメッセージを、無線制御局ＲＮＣに送信する。
【０００５】
ステップＳ３００３において、無線制御局ＲＮＣは、「ＣＴＣＨ  Ｉｎｄｉｃａｔｉｏｎ＝０」と設定された「システム情報要求（Ｓｙｓｔｅｍ  Ｉｎｆｏｒｍａｔｉｏｎ  Ｒｅｑｕｅｓｔ）」を、無線基地局ＢＴＳに対して送信する。
【０００６】
ステップＳ３００４及びＳ３００５において、無線制御局ＲＮＣは、各ページンググループに属する移動局ＵＥに対して、ページングメッセージ（Ｐａｇｉｎｇ  Ｔｙｐｅ１）によって、緊急情報（Ｐｒｉｍａｒｙ  Ｎｏｔｉｆｉｃａｔｉｏｎ）を通知する。
【０００７】
その後、ステップＳ３００６乃至Ｓ３００８において、無線制御局ＲＮＣは、ＣＢＳ（Ｃｅｌｌ  Ｂｒｏａｄｃａｓｔ  Ｓｅｒｖｉｃｅ）メッセージ（同報メッセージ）によって、緊急情報の詳細情報（Ｓｅｃｏｎｄａｒｙ  Ｎｏｔｉｆｉｃａｔｉｏｎ）を繰り返し通知する。
【非特許文献１】ＴＳ ２３．０４１   Ｔｅｃｈｎｉｃａｌ ｒｅａｌｉｚａｔｉｏｎ ｏｆ Ｃｅｌｌ Ｂｒｏａｄｃａｓｔ Ｓｅｒｖｉｃｅ   （ＣＢＳ）
【非特許文献２】ＴＲ ２３．８２８   Ｅａｒｔｈｑｕａｋｅ ａｎｄ Ｔｓｕｎａｍｉ Ｗａｒｎｉｎｇ Ｓｙｓｔｅｍ Ｒｅｑｕｉｒｅｍｅｎｔｓ ａｎｄ Ｓｏｌｕｔｉｏｎｓ （ＥＴＷＳ）；  Ｓｏｌｕｔｉｏｎ Ｐｌａｃｅｈｏｌｄｅｒ
【非特許文献３】ＴＳ ２５.３２４  Ｂｒｏａｄｃａｓｔ/Ｍｕｌｔｉｃａｓｔ Ｃｏｎｔｒｏｌ （ＢＭＣ）
【発明の開示】
【発明が解決しようとする課題】
【０００８】
上述のＥＴＷＳでは、不正な無線基地局ＢＴＳによる緊急情報の送信等の脅威が考えられるため、上述の緊急情報を、セキュアな通信によって移動局ＵＥに送信する必要がある。
【０００９】
ETWSの構成において、無線制御局ＲＮＣとＣＢＣとの間のインターフェイスでは、専用回線やＩＰｓｅｃを用いたセキュアな通信によって緊急情報を送信しているものと想定できるが、無線制御局ＲＮＣと移動局ＵＥとの間の無線インターフェイスでは、セキュリティ通信によって緊急情報を送信することができないという問題点があった。
【００１０】
すなわち、緊急情報が送信される時点では、無線制御局ＲＮＣと移動局ＵＥとの間で、セキュリティ通信用無線リンクが確立されていないため、無線基地局ＢＴＳと移動局ＵＥとの間の無線インターフェイスでは、セキュリティ通信によって緊急情報を送信することができない。
【００１１】
また、無線制御局ＲＮＣと移動局ＵＥとの間で、セキュリティ通信用リンクが確立されている場合であっても、複数の移動局ＵＥが、受信した同一ページングメッセージが自身宛てのページングメッセージであるか否かについて判定する必要があるため、ネットワークが、各移動局ＵＥに対して個別に確立したセキュリティ情報を用いてセキュリティをかけることができない。
【００１２】
そこで、本発明は、上述の課題に鑑みてなされたものであり、複数の移動局に対して、セキュアな通信によって早急に緊急情報を送信することができる同報情報通知方法及びネットワークノードを提供することを目的とする。
【課題を解決するための手段】
【００１３】
本発明の第１の特徴は、複数の移動局に対して、ページングメッセージ及び同報メッセージを用いて同報情報を通知する同報情報通知方法であって、ネットワークノードが、前記複数の移動局に対して同報情報を通知するように指示された場合、前記ページングメッセージの送信タイミングに関係なく、前記同報メッセージの繰り返し送信を開始する工程と、前記ネットワークノードが、所定タイミングで、前記ページングメッセージ及び同報メッセージ受信用パラメータを送信する工程と、前記複数の移動局の各々が、受信した前記ページングメッセージによって指定されているパラメータを用いて、前記同報メッセージ受信用パラメータを受信する工程と、前記複数の移動局の各々が、受信した前記同報メッセージ受信用パラメータを用いて、受信可能な前記同報メッセージを受信する工程と、前記移動局が、前記同報情報に対応する処理を行う工程とを有することを要旨とする。
【００１４】
本発明の第１の特徴において、前記複数の移動局の各々が、受信した該同報メッセージに含まれているセキュリティ情報を用いて、前記同報情報に対する検証を行う工程を有し、前記複数の移動局の各々は、前記検証に成功した場合にのみ、前記同報情報に対応する処理を行ってもよい。
【００１５】
本発明の第１の特徴において、前記同報情報は、前記ページングメッセージによって通知され、前記セキュリティ情報は、前記同報メッセージによって通知されてもよい。
【００１６】
本発明の第１の特徴において、前記同報情報及び前記セキュリティ情報は、前記同報メッセージによって通知されてもよい。
【００１７】
本発明の第２の特徴は、移動局に対して、ページングメッセージ及び同報メッセージを用いて同報情報を通知するように構成されているネットワークノードであって、前記移動局に対して同報情報を通知するように指示された場合、前記ページングメッセージの送信タイミングに関係なく、前記同報メッセージの繰り返し送信を開始し、所定タイミングで、前記ページングメッセージ及び同報メッセージ受信用パラメータを送信するように構成されている送信部を具備し、前記送信部は、前記ページングメッセージによって、前記同報情報を通知し、前記同報メッセージによって、該同報情報に対する検証に用いられるセキュリティ情報を通知するように構成されていることを要旨とする。
【００１８】
本発明の第３の特徴は、移動局に対して、ページングメッセージ及び同報メッセージを用いて同報情報を通知するように構成されているネットワークノードであって、前記移動局に対して同報情報を通知するように指示された場合、前記ページングメッセージの送信タイミングに関係なく、前記同報メッセージの繰り返し送信を開始し、所定タイミングで、前記ページングメッセージ及び同報メッセージ受信用パラメータを送信するように構成されている送信部を具備し、前記送信部は、前記同報メッセージによって、前記同報情報、及び、該同報情報に対する検証に用いられるセキュリティ情報を通知するように構成されていることを要旨とする。
【発明の効果】
【００１９】
以上説明したように、本発明によれば、複数の移動局に対して、セキュアな通信によって早急に同報情報を送信することができる同報情報通知方法及びネットワークノードを提供することができる。
【発明を実施するための最良の形態】
【００２０】
（本発明の第１の実施形態に係る移動通信システムの構成）
図１乃至図４を参照して、本発明の第１の実施形態に係る移動通信システムの構成について説明する。
【００２１】
本発明の第１の実施形態に係る移動通信システムでは、ネットワークノードが、複数の移動局ＵＥに対して、Ｐａｇｉｎｇメッセージ（ページングメッセージ）及びＣＢＳメッセージ（同報メッセージ）を用いて緊急情報（同報情報）を通知するように構成されている。
【００２２】
なお、本実施形態では、同報情報として、ＥＴＷＳにおいて通知される緊急情報が想定されているが、他の同報情報が用いられていてもよい。
【００２３】
また、本発明は、ＬＴＥ（Ｌｏｎｇ  Ｔｅｒｍ  Ｅｖｏｌｕｔｉｏｎ）方式の移動通信システムや、Ｗ-ＣＤＭＡ（Ｗｉｄｅｂａｎｄ-Ｃｏｄｅ  Ｄｉｖｉｓｉｏｎ  Ｍｕｌｔｉｐｌｅ  Ａｃｃｅｓｓ）方式の移動通信システムや、３ＧＰＰ２方式の移動通信システムや、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）方式の移動通信システムや、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式の移動通信システム等、任意の方式の移動通信システムに適用可能である。
【００２４】
例えば、本発明が、ＬＴＥ方式の移動通信システムに用いられている場合、ネットワークノードは、無線基地局ｅＮＢであり、本発明が、Ｗ-ＣＤＭＡ方式の移動通信システムに用いられている場合、ネットワークノードは、無線制御局ＲＮＣである。
【００２５】
以下、本実施形態では、Ｗ-ＣＤＭＡ方式の移動通信システムにおいて、ネットワークノードとして、無線制御局ＲＮＣが用いられる場合の例について説明する。
【００２６】
図１に示すように、本実施形態に係る無線制御装置ＲＮＣ（ネットワークノード）は、Ｗｒｉｔｅ  Ｒｅｐｌａｃｅメッセージ受信部１１と、システム情報要求送信部１２と、ＣＢＳメッセージ送信部１３と、Ｐａｇｉｎｇメッセージ送信部１４と、ＢＣＣＨ送信部１５とを具備している。
【００２７】
Ｗｒｉｔｅ  Ｒｅｐｌａｃｅメッセージ受信部１１は、ＣＢＣから、移動局ＵＥに対して緊急情報を通知するように指示するためのＷｒｉｔｅ  Ｒｅｐｌａｃｅメッセージを受信するように構成されている。
【００２８】
Ｗｒｉｔｅ  Ｒｅｐｌａｃｅメッセージ受信部１１が、上述のＷｒｉｔｅ  Ｒｅｐｌａｃｅメッセージを受信した場合に、システム情報要求送信部１２は、無線基地局ＢＴＳに対して「ＣＴＣＨ  Ｉｎｄｉｃａｔｉｏｎ＝０」と設定された「システム情報要求（Ｓｙｓｔｅｍ  Ｉｎｆｏｒｍａｔｉｏｎ  Ｒｅｑｕｅｓｔ）」を送信することによって、無線基地局ＢＴＳにおけるＣＢＳメッセージの送信を可能とするように構成されている。
【００２９】
ＣＢＳメッセージ送信部１３は、Ｐａｇｉｎｇメッセージの送信タイミングに関係なく、ＣＢＳメッセージの繰り返し送信を開始するように構成されている。なお、ＣＢＳメッセージ送信部１３は、ＦＡＣＨ（Ｆｏｒｗａｒｄ  Ａｃｃｅｓｓ  Ｃｈａｎｎｅｌ）を介して、ＣＢＳメッセージを送信するように構成されている。
【００３０】
また、ＣＢＳメッセージ送信部１３は、ＣＢＳメッセージによって、緊急情報（Ｐｒｉｍａｒｙ  Ｎｏｔｉｆｉｃａｔｉｏｎ）に対する検証に用いられるセキュリティ情報及び緊急情報の詳細情報（Ｓｅｃｏｎｄａｒｙ  Ｎｏｔｉｆｉｃａｔｉｏｎ）を通知するように構成されている。
【００３１】
ここで、セキュリティ情報には、緊急情報（Ｐｒｉｍａｒｙ  Ｎｏｔｉｆｉｃａｔｉｏｎ）の電子署名や、時刻情報（Ｔｉｍｅ）や、位置情報（Ｌｏｃａｔｉｏｎ）等が含まれていてもよい。
【００３２】
Ｐａｇｉｎｇメッセージ送信部１４は、所定タイミングで、ＰＣＨを介して、Ｐａｇｉｎｇメッセージを送信するように構成されている。
【００３３】
また、Ｐａｇｉｎｇメッセージ送信部１４は、Ｐａｇｉｎｇメッセージによって、上述の緊急情報（Ｐｒｉｍａｒｙ  Ｎｏｔｉｆｉｃａｔｉｏｎ）を通知するように構成されている。
【００３４】
例えば、Ｐａｇｉｎｇメッセージは、上述の緊急情報（Ｐｒｉｍａｒｙ  Ｎｏｔｉｆｉｃａｔｉｏｎ）や、「Ｅｍｅｒｇｅｎｃｙ  ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）」を含む「Ｐａｇｉｎｇ  Ｒｅｃｏｒｄ  ＩＥ」や、無線基地局ＢＴＳにおけるシステム情報が変更されたタイミングを含む「ＢＣＣＨ  Ｍｏｄｉｆｉｃａｔｉｏｎ  Ｔｉｍｅ  ＩＥ」等によって構成されている。
【００３５】
ここで、移動局ＵＥに、ＢＣＣＨ上で送信される「ＦＡＣＨ  ｃｏｎｆｉｇｕｒａｔｉｏｎ（同報メッセージ受信用パラメータ）」を即座に取得させるためには、「ＢＣＣＨ  Ｍｏｄｉｆｉｃａｔｉｏｎ  Ｔｉｍｅ  ＩＥ」を「０」と設定する。
【００３６】
ＢＣＣＨ送信部１５は、所定タイミング（具体的には、Ｐａｇｉｎｇメッセージによって指定されるタイミング）で、ＢＣＣＨ（Ｂｒｏａｄｃａｓｔ  Ｃｏｎｔｒｏｌ  Ｃｈａｎｎｅｌ）を介して、「ＦＡＣＨ  ｃｏｎｆｉｇｕｒａｔｉｏｎ（同報メッセージ受信用パラメータ）」を通知するように構成されている。
【００３７】
ここで、「ＦＡＣＨ  ｃｏｎｆｉｇｕｒａｔｉｏｎ（同報メッセージ受信用パラメータ）」は、移動局ＵＥが、ＣＢＳメッセージを受信するために必要なパラメータである。
【００３８】
図２に示すように、移動局ＵＥは、Ｐａｇｉｎｇメッセージ受信部２１と、ＢＣＣＨ受信部２２と、ＣＢＳメッセージ受信部２３と、検証部２４と、処理部部２５とを具備している。
【００３９】
Ｐａｇｉｎｇメッセージ受信部２１は、所定タイミングで、ＰＣＨを介して、無線制御局ＲＮＣによって通知されたＰａｇｉｎｇメッセージを受信するように構成されている。
【００４０】
ＢＣＣＨ受信部２２は、Ｐａｇｉｎｇメッセージ受信部２１によって受信されたＰａｇｉｎｇメッセージによって指定されているパラメータ（タイミングや周波数等）を用いて、ＢＣＣＨを介して、「ＦＡＣＨ  ｃｏｎｆｉｇｕｒａｔｉｏｎ（同報メッセージ受信用パラメータ）」を受信するように構成されている。
【００４１】
ＣＢＳメッセージ受信部２３は、ＢＣＣＨ受信部２２によって受信された「ＦＡＣＨ  ｃｏｎｆｉｇｕｒａｔｉｏｎ（同報メッセージ受信用パラメータ）」を用いて、ＦＡＣＨを介して、「ＦＡＣＨ  ｃｏｎｆｉｇｕｒａｔｉｏｎ（同報メッセージ受信用パラメータ）」を受信してから最初に受信可能なＣＢＳメッセージを受信するように構成されている。
【００４２】
検証部２４は、ＣＢＳメッセージ受信部２３によって受信されたＣＢＳメッセージに含まれているセキュリティ情報を用いて、Ｐａｇｉｎｇメッセージ受信部２１によって受信されたＰａｇｉｎｇメッセージに含まれる緊急情報（Ｐｒｉｍａｒｙ  Ｎｏｔｉｆｉｃａｔｉｏｎ）に対する検証を行うように構成されている。
【００４３】
具体的には、図３に示すように、検証部２４は、上述のＣＢＳメッセージに含まれている電子署名を用いて、上述のＰａｇｉｎｇメッセージに含まれる緊急情報（Ｐｒｉｍａｒｙ  Ｎｏｔｉｆｉｃａｔｉｏｎ）に対する検証を行うように構成されている。
【００４４】
処理部２５は、検証部２４による検証に成功した場合に、かかる緊急情報（Ｐｒｉｍａｒｙ  Ｎｏｔｉｆｉｃａｔｉｏｎ）に対応する処理（ブザー出力やアラーム出力やディスプレイ表示等）を行うように構成されている。
【００４５】
なお、処理部２５は、上述の検証部２４による検証を行うことなく、かかる緊急情報に対応する処理（ブザー出力やアラーム出力やディスプレイ表示等）を行うように構成されていてもよい。
【００４６】
（本発明の第１の実施形態に係る移動通信システムの動作）
図４を参照して、本発明の第１の実施形態に係る移動通信システムの動作について説明する。
【００４７】
図４に示すように、ステップＳ１００１において、ＣＢＣは、ＣＢＥからの入力を検出すると、ステップＳ１００２において、Ｗｒｉｔｅ  Ｒｅｐｌａｃｅメッセージを、無線制御局ＲＮＣに送信する。
【００４８】
ステップＳ１００３において、無線制御局ＲＮＣは、「ＣＴＣＨ  Ｉｎｄｉｃａｔｉｏｎ＝０」と設定された「システム情報要求（Ｓｙｓｔｅｍ  Ｉｎｆｏｒｍａｔｉｏｎ  Ｒｅｑｕｅｓｔ）」を、無線基地局ＢＴＳに対して送信する。
【００４９】
ここで、無線制御局ＲＮＣは、無線基地局ＢＴＳにおいて、ＣＢＳメッセージを送信するために、システム情報の設定が変更されたことを検知すると、Ｐａｇｉｎｇメッセージの送信タイミングに関係なく、ＣＢＳメッセージの繰り返し送信を開始する（ステップＳ１００４、Ｓ１００５、Ｓ１００６、…、Ｓ１０１２、…、Ｓ１０２２、Ｓ１０２３、Ｓ１０２４）。
【００５０】
ステップＳ１０１０において、無線制御局ＲＮＣは、Ｐａｇｉｎｇメッセージによって緊急情報（Ｐｒｉｍａｒｙ  Ｎｏｔｉｆｉｃａｔｉｏｎ）を通知し、移動局ＵＥは、当該Ｐａｇｉｎｇメッセージによって通知された緊急情報（Ｐｒｉｍａｒｙ  Ｎｏｔｉｆｉｃａｔｉｏｎ）を受信する。
【００５１】
ステップＳ１０１１において、無線制御局ＲＮＣは、ＢＣＣＨを介して、「ＦＡＣＨ  ｃｏｎｆｉｇｕｒａｔｉｏｎ」を通知し、移動局ＵＥは、受信したＰａｇｉｎｇメッセージによって指定されているタイミングで、ＢＣＣＨを介して通知されている「ＦＡＣＨ  ｃｏｎｆｉｇｕｒａｔｉｏｎ」を受信する。
【００５２】
その後、移動局ＵＥは、受信した「ＦＡＣＨ  ｃｏｎｆｉｇｕｒａｔｉｏｎ」を用いて、ＦＡＣＨを介して、「ＦＡＣＨ  ｃｏｎｆｉｇｕｒａｔｉｏｎ」を受信してから最初に受信可能なＣＢＳメッセージ（図４の例では、ステップＳ１０１２におけるＣＢＳメッセージ）を受信する。
【００５３】
その後、移動局ＵＥは、受信したＣＢＳメッセージに含まれている電子署名を用いて、ステップＳ１０１０において受信したＰａｇｉｎｇメッセージに含まれる緊急情報（Ｐｒｉｍａｒｙ  Ｎｏｔｉｆｉｃａｔｉｏｎ）に対する検証を行い、かかる検証に成功した場合に、当該緊急情報（Ｐｒｉｍａｒｙ  Ｎｏｔｉｆｉｃａｔｉｏｎ）に対応する出力を行う。
【００５４】
(本発明の第１の実施形態に係る移動通信システムの作用・効果）
本発明の第１の実施形態に係る移動通信システムによれば、移動局ＵＥは、複数の移動局によって受信可能なＣＢＳメッセージに含まれる緊急情報（Ｐｒｉｍａｒｙ  Ｎｏｔｉｆｉｃａｔｉｏｎ）の電子書名を用いて、Ｐａｇｉｎｇメッセージに含まれる緊急情報（Ｐｒｉｍａｒｙ  Ｎｏｔｉｆｉｃａｔｉｏｎ）の正当性を確認することができるため、セキュアな通信による緊急情報の通知を実現することができる。
【００５５】
また、本発明の第１の実施形態に係る移動通信システムによれば、移動局ＵＥは、無線制御局ＲＮＣが、Ｐａｇｉｎｇメッセージよりも先に、ＣＢＳメッセージの繰り返し送信を開始しており、移動局ＵＥは、受信した「ＦＡＣＨ  ｃｏｎｆｉｇｕｒａｔｉｏｎ」を用いて、「ＦＡＣＨ  ｃｏｎｆｉｇｕｒａｔｉｏｎ」を受信してから最初に受信可能なＣＢＳメッセージを受信することができるため、迅速な緊急情報の通知を実現すること、具体的には、４秒以内という「ETWS」における要求条件を満たすことができる。
【００５６】
（本発明の第２の実施形態に係る移動通信システム）
図５及び図６を参照して、本発明の第２の実施形態に係る移動通信システムについて説明する。以下、本発明の第２の実施形態に係る移動通信システムについて、上述の第１の実施形態に係る移動通信システムとの相違点に着目して説明する。
【００５７】
本実施形態では、無線制御局ＲＮＣのＣＢＳメッセージ送信部１３は、ＣＢＳメッセージによって、上述の緊急情報（Ｐｒｉｍａｒｙ  Ｎｏｔｉｆｉｃａｔｉｏｎ）及び当該緊急情報に対する検証に用いられるセキュリティ情報（Ｓｅｃｕｒｉｔｙ  Ｉｎｆｏｒｍａｔｉｏｎ）を通知するように構成されている。
【００５８】
また、移動局ＵＥの検証部２４は、ＣＢＳメッセージ受信部２３によって受信されたＣＢＳメッセージに含まれているセキュリティ情報を用いて、当該ＣＢＳメッセージに含まれる緊急情報（Ｐｒｉｍａｒｙ  Ｎｏｔｉｆｉｃａｔｉｏｎ）に対する検証を行うように構成されている。
【００５９】
具体的には、図５に示すように、検証部２４は、上述のＣＢＳメッセージに含まれている電子署名を用いて、上述のＣＢＳメッセージに含まれる緊急情報（Ｐｒｉｍａｒｙ  Ｎｏｔｉｆｉｃａｔｉｏｎ）に対する検証を行うように構成されている。
【００６０】
図６に、本実施形態に係る移動通信システムにおいて、移動局ＵＥに対して緊急情報（Ｐｒｉｍａｒｙ  Ｎｏｔｉｆｉｃａｔｉｏｎ）を通知する動作について説明する。
【００６１】
かかる動作は、移動局ＵＥが、ステップＳ２０１０において、Ｐａｇｉｎｇメッセージによって緊急情報（Ｐｒｉｍａｒｙ  Ｎｏｔｉｆｉｃａｔｉｏｎ）を通知される代わりに、ステップＳ２０１２において、ＣＢＳメッセージによって緊急情報（Ｐｒｉｍａｒｙ  Ｎｏｔｉｆｉｃａｔｉｏｎ）が通知される点、及び、移動局ＵＥが、受信したＣＢＳメッセージに含まれている電子署名を用いて、と当該ＣＢＳメッセージに含まれる緊急情報（Ｐｒｉｍａｒｙ  Ｎｏｔｉｆｉｃａｔｉｏｎ）に対する検証を行う点を除いて、図４に示す動作と同一である。
【００６２】
なお、上述の移動局ＵＥや無線基地局ＢＴＳ（ｅＮＢ）や交換機ＭＭＥや無線制御局ＲＮＣの動作は、ハードウェアによって実施されてもよいし、プロセッサによって実行されるソフトウェアモジュールによって実施されてもよいし、両者の組み合わせによって実施されてもよい。
【００６３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＢＴＳ（ｅＮＢ）や交換機ＭＭＥや無線制御局ＲＮＣ内に設けられていてもよい。また、かかる記憶媒体及びプロセッサは、ディスクリートコンポーネントとして移動局ＵＥや無線基地局ＢＴＳ（ｅＮＢ）や交換機ＭＭＥや無線制御局ＲＮＣ内に設けられていてもよい。
【００６５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００６６】
【図１】本発明の第１の実施形態に係る無線制御局の機能ブロック図である。
【図２】本発明の第１の実施形態に係る移動局の機能ブロック図である。
【図３】本発明の第１の実施形態に係る移動局の検証部による検証方法について説明するための図である。
【図４】本発明の第１の実施形態に係る移動通信システムの動作を示すシーケンス図である。
【図５】本発明の第２の実施形態に係る移動局の検証部による検証方法について説明するための図である。
【図６】本発明の第２の実施形態に係る移動通信システムの動作を示すシーケンス図である。
【図７】従来の移動通信システムの動作を示すシーケンス図である。
【符号の説明】
【００６７】
ＲＮＣ…無線制御局
１１…Ｗｒｉｔｅ  Ｒｅｐｌａｃｅメッセージ受信部
１２…システム情報要求送信部
１３…ＣＢＳメッセージ送信部
１４…Ｐａｇｉｎｇメッセージ送信部
１５…ＢＣＣＨ送信部
ＵＥ…移動局
２１…Ｐａｇｉｎｇメッセージ受信部
２２…ＢＣＣＨ受信部
２３…ＣＢＳメッセージ受信部
２４…検証部
２５…処理部
【図１】
0004355750.tif 000002
【図２】
0004355750.tif 000003
【図３】
0004355750.tif 000004
【図４】
0004355750.tif 000005
【図５】
0004355750.tif 000006
【図６】
0004355750.tif 000007
【図７】
0004355750.tif 000008